Podtech/llm-jp-corpus-v4-ja_patent huggingface dataset:
(57)【要約】【課題】  虫は防虫袋の開口部から侵入し、洋服は虫に喰われてしまう。又、袋そのものも喰い破られ洋服が被害を受けるという問題点がある。【解決手段】  洋服を掛けるハンガーフックを、ファスナーに設けられた二つのスライダーで左右から挟み連結し、開口部を隙間なく閉じることのできる洋服の防虫袋を提供する。【選択図】  図１
2007112507.tif 000002
【特許請求の範囲】
【請求項１】
洋服を掛けるハンガーフックを、ファスナーに設けられた二つのスライダーで左右から挟み連結し、開口部を隙間なく閉じることのできる洋服の防虫袋。
【請求項２】
袋を両開きできる洋服の防虫袋。
【発明の詳細な説明】
【技術分野】
【０００１】本発明は、洋服を虫喰いの害から守るための防虫袋に関するものである。
【背景技術】
【０００２】主にクリーニング業界と防虫剤メーカーより市販されているポリエチレン製フィルムとポリエチレン製不織布とで作られた袋で防虫袋（以下「袋」という）で防虫を謳った袋がある。
これらの袋は開口部が開いたままで閉じられる構造になっていない。又、薄くて軟らかいフィルムのため袋そのものを虫に食い破られてしまう。これらの袋に洋服を保管していても保管中に虫に喰われることがある。
【発明の開示】
【発明が解決しようとする課題】
【０００３】虫は袋の開口部から侵入し、洋服は虫に喰われてしまう。又、袋そのものも喰い破られ洋服が被害を受けるという問題点がある。
【課題を解決するための手段】
【０００４】本発明は洋服を掛けるハンガーフックを、ファスナーに設けられた二つのスライダーで左右から挟み連結し、開口部を隙間なく閉じることのできる洋服の防虫袋を提供することにより、上記課題を解決したものである。
【発明の効果】
【０００５】本発明の袋は、虫は開口部から出入りすることは出来ない。又、虫が袋を喰い破れない丈夫なフィルムを使用することにより、袋を閉じている間は虫は外部から容易に袋内に入れない。この袋は虫の侵入に備えガードを堅くした点において優れ、洋服はこれまで以上に虫喰いの害から保護される。又、袋を両開きできるため、製作の過程で作業も軽減され、又、この構造から洋服を保管する際の作業が手軽になる。
【発明を実施するための最良の形態】
【０００６】本発明の袋は、図１に示されるように、ハンガーのフックをファスナーに設けられた波状引手付スライダーとＣ型パイプ付スライダー（以下「二つのスライダー」という）で左右から挟み連結すると、ハンガーフックの周りはほとんど隙間なく閉じることが出来る。
【実施例】
【０００７】ハンガーフックを二つのスライダーで左右から挟み連結するには、図２に示されるようにスライダーの引手は波状の引手とし、素材は弾力のある合成樹脂または金属板を使用する。一方のスライダーは図３に示されるような背中合せのＣ型パイプをスライダーの上に設け、パイプ内部の入口部分には突起を設け、その上に従来の引手を設ける。【０００８】図１に示されるように二つのスライダーでハンガーフックを左右から挟み、図２の波状の引き手を指で摘みながら図３のＣ型パイプ付きスライダーのパイプ内に挿入し、摘みを離すと波状の凹んだ部分に突起が噛み合い、左右のスライダーはハンガーフックを挟んだ状態で連結する。【０００９】ハンガーフックの芯の太い細いに拘らず、図２の引き手の波状の範囲内で突起と噛み合い連結することができる。【００１０】分離するときは、図２の引き手の摘みを指で摘めば歯止めははずれ分離される。あとはファスナーを開いて洋服を出すことができる。【００１１】図４に示されるように図は袋を閉じた図で袋の片方は肩口より底辺部までマチを設け、その他の側縁部は一本のファスナーに二つのスライダーを設け、ハンガーフックを左右から挟み連結する。こうすることにより、袋は隙間なく閉じることができる。【００１２】図５は袋を用いた図で、洋服を仕舞う時は、ハンガーに掛けた洋服を袋の片方に置き、一方の袋を洋服にかぶせ、ファスナーを閉じながら二つのスライダーが夫夫ハンガーフックに達した所で連結する。袋が両開きなので仕舞い易く、作業はテーブルや台の上で行うと作業がし易い。【００１３】袋の素材はポリエチレン製フィルム、軟質のポリプロピレン製フィルム、ビニール、紙等を用い、虫が喰い破れない丈夫なフィルムを使用する。【００１４】袋内の通気はファスナーの縫い代で通気のある網状または織の生地を使用する。【００１５】袋内上部に防虫剤、防カビ剤、乾燥剤を入れる内ポケットをつける。【００１６】図６に示されるようにこの袋の底辺部に取手をつけるとテーラーバッグとして使用でき、その後は防虫袋として利用できる。
【図面の簡単な説明】
【００１７】
【図１】本件発明のハンガーフックを二つのスライダーで左右から挟み連結した概略図
【図２】波状引手付スライダーの斜視図
【図３】Ｃ型パイプ付スライダーの斜視図
【図４】防虫袋の姿図
【図５】防虫袋展開図
【図６】テーラーバッグ取手の概略図
【符号の説明】
【００１８】１．ハンガーフック
２．防虫袋フィルム
３．ファスナー
４．マチ
５．波状引手付スライダー
６．波状引手
７．摘まみ
８．Ｃ型パイプ付スライダー
９．突起
１０．引手
１１．内ポケット
１２．取手
【図１】
2007112507.tif 000003
【図２】
2007112507.tif 000004
【図３】
2007112507.tif 000005
【図４】
2007112507.tif 000006
【図５】
2007112507.tif 000007
【図６】
2007112507.tif 000008
(57)【要約】      （修正有）【課題】  従来のコンテナ用連結金具では、コンテナを船舶上より荷降しする際、コンテナ用連結金具に有してあるロック機構を解除する為何らかの作業を行っていたが、このロック機構を解除する作業を不要とする。【解決手段】  ガントリークレーンでコンテナを吊り上げる場合は、先端略錐体形に尖らせた嵌入コーンの横穴にロック金具が回転して格納され機能しない形状とするコンテナ用連結金具を使用する。【選択図】図１
2007112508.tif 000002
【特許請求の範囲】
【請求項１】
１．支持盤の片面に、先端略錐体形に尖らせた嵌入コーン３を突設し、同他面上下方向に貫通する軸孔２を設け、前記軸孔２に連通する口部６を設けたケーシング１と、
前記軸孔２に回転自在に挿通された軸４−１と、
前記ケーシング１の上側に配置され、平面形状を略長方形に形成され、前記軸４に固定されたコーン４−２と、
基端を前記軸４に固定され、先端を前記口部６から外部に突出させ、その水平方向の揺動により前記軸４を回転させる操作レバー７と、
を有するコンテナ連結金具。（〔図２〕参照）
２  支持盤の片面に、先端略錐体形に尖らせた嵌入コーン３を突設し、同他面に一方の対角隅部に全高にわたって互いに平行になる傾斜面を形成し、他方の対角隅部に前記支持盤から適宜間隔を介して係合片を設けた係合コーンを突設してなるコンテナ連結金具。（〔図１〕参照）
３．前記１および２のコンテナ連結金具において、先端略錐体形に尖らせた嵌入コーン３には横穴を設け、重量バランスにより姿勢制御がなされているロック金具５を有したことを特徴とするコンテナ連結金具。
【発明の詳細な説明】
【技術分野】
【０００１】  本発明は、コンテナ積載技術に係るコンテナ用連結金具に関する。
【背景技術】
【０００２】  たとえば多数のコンテナを船舶上に積載する場合、これを単に積み上げただけでは船の揺れ等により荷くずれを生じる危険があるため、第１段のコンテナと床面の間および上下に層積されるコンテナ相互の間に位置決めかつ固縛用の各種連結金具が介装される。
【発明の開示】
【発明が解決しようとする課題】
【０００３】  従来の連結金具は、金具本体の上端下端に平面略長方形になるコーンを回転可能に取り付け、このコーンをコンテナ隅部に設けられたコーナーフィッティングの係合孔に挿入した後、回転して係合孔に係合させるように構成されている。すべてのコーンを回転させねばならず手間が掛かる外、２層、３層以上のコンテナを固縛する場合には高所作業となり、転落事故等の危険を伴う。現在自動的にコーンが係合する方法は開発されているが、係合を解除する場合、長く重い棒で操作するか、コンテナの上の乗り高所作業を行っている。【０００４】  本発明は、このような従来の問題を解決しようとするものであり、危険防止およびコンテナの積み降ろしの作業効率を高めることを目的とするものである。
【課題を解決するための手段】
【０００５】  本考案は以上の点に鑑み、上記従来技術にみられる問題を解消すべく案出されたものであって、この目的を達成するため、請求項１の３に示すように、先端略錐体形に尖らせた嵌入コーンには横穴を設け、重量バランスにより姿勢制御がなされているロック金具５は、コーナーフィッティングの係合孔に挿入時、前記ロック金具５の５−２部がコーナーフィッティングの係合孔に沿って回転することにより、前記ロック金具５の５−１部がコーナーフィッティングの係合孔の内側で突出する機構（〔図３〕および〔図４〕参照）となっている。【０００６】  船の動揺により船舶上のコンテナが傾斜した際、本コンテナ連結金具の前記ロック金具５が機能し、コーナーフィッティングの係合孔面に接することによりロックされ、コンテナの転倒を防止し、【０００７】  船舶寄港は船の動揺がほとんど無く船舶上のコンテナが傾斜していない状態のため、船舶上のコンテナが略垂直に吊り上げられることにより、前記ロック金具５の５−１部が自動的に先端略錐体形に尖らせた嵌入コーン３の横穴に回転して格納される機構を有するコンテナ連結金物。
【発明の効果】
【０００８】  従って、コンテナ荷降し時のロック解除作業が無くなることにより、従来のコンテナ用連結金具を使用する場合に比べ危険防止および作業効率を高め、大幅な費用削減に寄与される。【０００９】  そして、コンテナ船の寄港時間も従来に比べ短縮することが可能となる。
【図面の簡単な説明】
【００１０】
【図１】  コンテナ連結金具〔請求項１−〕タイプ
【図２】  コンテナ連結金具〔請求項１−２〕タイプ
【図３】  コンテナ連結前コンテナ連結金具の状態
【図４】  コンテナ連結後コンテナ連結金具の状態
【図５】  コンテナ傾斜時のコンテナ連結金具の状態
【図６】  コンテナ荷降し時のコンテナ連結金具の状態
【図１】
2007112508.tif 000003
【図２】
2007112508.tif 000004
【図３】
2007112508.tif 000005
【図４】
2007112508.tif 000006
【図５】
2007112508.tif 000007
【図６】
2007112508.tif 000008
(57)【要約】【課題】  本発明は従来の技術の有するこのような問題点に鑑みてなされたものであり、非生物学的変化を注目し、油脂や油脂含有食品に対して有効な手段を開発し、空気中の酸素、熱、光線、金属イオンなどの作用によって、食品の劣化（不快な臭気・味の劣化・栄養価の低下・変色等）を減じる手段を提供する事である。【解決手段】  竹れき２と、竹れきを含んだ液体３を、製氷機４で生成した事を特徴とする抗酸化剤を含む氷。【選択図】図２
2007228953.tif 000002
【特許請求の範囲】
【請求項１】
竹れき（２）と、竹れきを含んだ液体（３）を、製氷機（４）で生成した事を特徴とする抗酸化剤を含む氷。
【請求項２】
竹れき（２）を０．５％から５％を含んだ液体（３）を製氷機（４）で生成し、人が食する事を目的に生成された事を特徴とする請求項１からなる抗酸化剤を含む氷。
【発明の詳細な説明】
【技術分野】
【０００１】本発明は、抗酸化剤を含む氷に関するものであり、特に孟宗竹より竹れき（竹に含まれる液体）を抽出して、竹れきを含む氷に関するものである。
【背景技術】
【０００２】  従来、魚介類の鮮度保持の目的として、殺菌性の気体を液体の中で撹拌しながら製氷機により製造した氷を利用して、船舶・車両の運搬時に冷却し、鮮度保持を目的に使用されていた。【０００３】  生鮮食品に発生する生物的変化は、低温領域（０度〜５度）になるほど細菌の活動が低下するが、低温でも活動する特徴がある低温菌がある。
そこで、その低温菌の活動を更に低下させる為に、殺菌性の気体を混入させた、殺菌氷の製造方法（特許３５６７９８７号）がある。【０００４】  しかし、食品の変悪形態は千差万別であり、どんな保存性のよい食品でも悪条件におかれると必ず変化し、ついには食品としての価値はなくなってしまう。食品の悪変は大きく分けて、生物学的変化と非生物学的変化があり、上記の殺菌氷の製造方法に於いては、生物学的変化（細菌）によるものであり、この方法によっても限界があった。
【発明が解決しょうとする課題】
【０００５】  そこで、非生物学的変化（化学的変化）に注目し、油脂や油脂含有食品を保存すると、空気中の酸素、湿気、熱、光線、金属、微生物、酵素などの作用によって、不快な臭気を発生し、味が劣化してその価値を減じる。（これらの油の劣化現象を一般に酸化と呼んでいる）
【０００６】  光線による酸化は、光の中でも波長の短い紫外線の影響が大きく、特に直射日光は短時間でも進行が大きく、室内の照明にも注意が必要になる。金属イオンは、ＰＨ、湿度、含有水分、空気との接触面積に影響を受ける。よって、抗酸化剤を封入しても、空気・水分・光・金属イオンの影響を受けやすい特徴があり、その効果を持続させる手段が無いために製品化することが困難であった。
【０００７】  酸化しやすい食品として、ピーナツ、かりんとう、フライドポテト、あられ、いかフライ、ポテトチップ等、油で揚げたものがあり、植物油脂を原料とし、しかも高温処理された物ほど条件は悪くなる結果がある。
【０００８】    本発明は従来の技術の有するこのような問題点に鑑みてなされたものであり、非生物学的変化を注目し、油脂や油脂含有食品に対して有効な手段を開発し、空気中の酸素、熱、光線、金属イオンなどの作用によって、食品の劣化（不快な臭気・味の劣化・栄養価の低下・変色等）を減じる手段を提供する事である。
【課題を解決するための手段】
【０００９】  竹れき２と、竹れきを含んだ液体３を、製氷機４で生成した事を特徴とする抗酸化剤を含む氷。
【００１０】  竹れき２を０．５％から５％を含んだ液体３を製氷機４で生成し、人が食する事を目的に製造された事を特徴とする抗酸化剤を含む氷。
【発明を実施するための最良の形態】
【００１１】  また、孟宗竹を多数切出し、燃えないようにして加熱する事で切り口より抽出する竹れきには、酢酸・ポリフェノール・クレオソールの他に３００種類以上の成分を含み抗酸化作用を有する。【００１２】  竹れき２を０．５％から５％程度含む液体を製氷機３で生成することで、人体にも有効な抗酸化剤を含む氷を製造することができる。【００１３】  製氷の方法として、スタティック方式・ダイナミック方式・カプセル内方式が有るが、ここではダイナミック方式の掻き取り方で説明する。【００１４】  冷媒によって外部から冷却される円筒管の内面壁に出来る氷膜を、羽根を持つロッドや、オーガと呼ばれるスクリューなどの回転体で掻き取る方法であり、掻き取られた氷はすぐに排出され連続的に氷を製造することができる。
【発明の効果】
【００１５】  竹れき２と、水を混合し、竹れきを含む液体３を、製氷機４で生成した事を特徴とする抗酸化剤を含む氷を使用して、油脂や油脂含有食品や鮮魚や肉製品を運送・保管した場合に、空気中の酸素、熱、光線、金属イオンなどの酸化作用による、不快な臭気・味の劣化・栄養価の低下・変色等の劣化を低減させる事ができた。
【００１６】  更に、氷により固形化することで、酸化せずに運搬出来るように成り、抗酸化氷を製品化して販売することも可能と成った。
何故なら、従来の液体の状態では、ビンに封入するので空気中の酸素により、数日で液体が酸化し、褐色に変色して、製品としての価値を持続できなかったからである。
【００１７】  竹れき２を０．５％から５％を含んだ液体３を、製氷機４で生成した事を特徴とする抗酸化剤を含む氷を長期間保存できるので、お酒の水割り・味噌汁・冷たい清涼飲料水にも提供できるようになり、単に冷たい飲み物だけでなく健康維持・老化の防止にも貢献できるものとなる。
【実施例１】
【００１８】  以下、図面を参照して、この発明の好適な実施例を例示的に詳しく説明する。ただし、この実施例に記載されている構成方法、構成装置、構成内容、構成部品、の寸法、材質、形状、その相対配置などは、特に特定的な記載がないかぎりは、この発明の範囲をそれらのみに限定する趣旨のものでなく単なる説明例にすぎない。【００１９】  図１より、孟宗竹１を５０ｃｍ程度の長さに切出し、多数の孟宗竹１を斜めに配置して、燃えないようにして加熱する事で、切り口より竹れき（竹に含まれる液状の成分）２を抽出する。【００２０】  ニュージランドの権威ある大学で開発されたエンゾジノールは、植物抽出成分であり地球上で最も優れた抗酸化剤であり、また松の樹皮から分離に成功したオリゴフェノリック化合物（ＯＰＣＳ）などがある。【００２１】  殺菌・浄化した水と、竹れき２を混合して、竹れきを含む液体３として、製氷機の水槽に入れて製氷機４を運転し、抗酸化の氷を製造する。【００２２】  図２より、竹れき２を製氷機４の水槽で、ポンプより汲み上げられた水を混ぜて、規定の濃度として製氷機４に送り、製氷機内は冷媒により冷却されるので、オーガーと呼ばれるスクリューが、モーターにより回転するので、円筒管の内面壁に出来る氷膜を、回転するオーガーで掻き取り、掻き取られた氷は上部に移動して排出され、連続的に氷を製造する事ができる。
【図面の簡単な説明】
【００２３】
【図１】本発明の説明図である。
【図２】本発明の説明図である。
【符号の説明】
【００２４】１・・孟宗竹
２・・竹れき
３・・竹れきを含んだ液体
４・・製氷機
【図１】
2007228953.tif 000003
【図２】
2007228953.tif 000004
(57)【要約】【課題】本発明は、咽頭内周壁面にただれを生じさせる原因となるタバコ吸引の際のニコチンとタールを分解緩和するタバコ葉に含有するニコチン・タールの分解緩和法を提供する。【解決手段】本発明は、松の葉と南天の葉と実及び緑茶を夫々乾燥したもの又はそのエキス分を微粉末にして混練した基盤粉態（ａ）に、山菜のしどけと海草類とリンゴを夫々乾燥したもの又はそのエキス分を微粉末にして混練した添加粉態（ｂ）を、添加攪拌して一体の微粉緩和態（ｃ）とし、これを巻きタバコ（Ａ）のタバコ葉（Ｂ）に噴霧酢（ｄ）と共に散布融和させ、タバコに点火して吸引するとき、燃焼して出る燻煙の中のニコチン・タール分を分解緩和することを特徴としたものである。【選択図】図１
2007228954.tif 000002
【特許請求の範囲】
【請求項１】
松の葉と南天の葉と実及び緑茶を夫々乾燥したもの又はそのエキス分を微粉末にして混練した基盤粉態（ａ）に、山菜のしどけと海草類と果物を夫々乾燥したもの又はそのエキス分を微粉末にして混練した添加粉態（ｂ）を、添加攪拌して一体の微粉緩和態（ｃ）とし、これを巻きタバコ（Ａ）のタバコ葉（Ｂ）に噴霧酢（ｄ）と共に散布融和させ、タバコに点火して吸引するとき、燃焼して出る燻煙の中のニコチン・タール分を分解緩和することを特徴としたタバコ葉に含有するニコチン・タールの分解緩和法。
【発明の詳細な説明】
【技術分野】
【０００１】  本発明は、咽頭内周壁面にただれを生じさせる原因となるタバコ吸引の際のニコチンとタールを分解緩和するタバコ葉に含有するニコチン・タールの分解緩和法に関する。
【背景技術】
【０００２】  現代社会に於ける現代人の生活ライフの中で、嗜好の一つとしてタバコ吸引をたしなむ習慣は、人によっては、人生の楽しみの一つとして欠かせないものとなっているが、一方でタバコをたしなむ人は、そのタバコ葉に含有して点火燻煙と共に吸引されるニコチン・タールによって、咽頭内周壁面にただれが生じ、飲食物の賞味を妨げたり、咳が発症して苦痛を生じたり、引いては、肺の中まで様々な障害をもたらす弊害があるなど、問題点が多い現状にある。
【発明の開示】
【発明が解決しようとする課題】
【０００３】  然しながら、嗜好の一つとしてタバコを嗜む人にとっては、むしろ健康に問題がある筈のニコチン・タールが必要不可欠なものとなっている。【０００４】  従って、ニコチン・タールは、健康に害があるとは云え、これがないとタバコを吸引する意味がないことになり、咳や喉の異常にも耐えながらもタバコ嗜好をやめられないでおり、周囲の人や環境にも影響が大きく、現在、大きな問題となっている。【０００５】  本発明は、ニコチン・タール分は、雰囲気的に多少漂わせて、本来のタバコの嗜好分を保ちながら、有害なニコチン・タール分を分解除去して緩和することを目的としたものである。
【課題を解決するための手段】
【０００６】  本発明は、松の葉と南天の葉と実及び緑茶を夫々乾燥したもの又はそのエキス分を微粉末にして混練した基盤粉態（ａ）に、山菜のしどけと海草類と果物を夫々乾燥したもの又はそのエキス分を微粉末にして混練した添加粉態（ｂ）を、添加攪拌して一体の微粉緩和態（ｃ）とし、これを巻きタバコ（Ａ）のタバコ葉（Ｂ）に噴霧酢（ｄ）と共に散布融和させ、タバコに点火して吸引するとき、燃焼して出る燻煙の中のニコチン・タール分を分解緩和することを特徴としたものである。
【発明の効果】
【０００７】  本発明は、本発明の基盤粉態（ａ）に、添加粉態（ｂ）を添加攪拌して一体とした微粉緩和態（ｃ）を、タバコ葉（Ｂ）に噴霧酢（ｄ）と共に散布融和させて点火して吸引するもので、松の葉と南天の葉と実の葉緑素エキスと緑茶のタンニンエキスの混態が、海草類の沃度とリンゴの酸及びしどけの混態と酢と共に融和された状態で、点火燻焼した時に出るタバコ葉の燻煙の中のニコチンとタール分を分解除去して、喫煙した時ニコチンの雰囲気を残したまま刺激を緩和して、喉にやさしく、咳などの炎症を抑える効果がある。【０００８】  つまり、喫煙した時、燻煙の中のニコチン・タール分が分解除去されて喉に炎症を起こすまでに至らずに喉にやさしく、燻煙には、程よいニコチンの味わいと刺激のみが薬味的に残って愛煙者が望むやすらぎといやしの気分は損なわない効果がある。
【発明を実施するための最良の形態】
【０００９】  本発明は、松の葉と南天の葉と実及び緑茶を夫々乾燥したもの又はそのエキス分を微粉末にして混練した基盤粉態（ａ）に、山菜のしどけと海草類と果物を夫々乾燥したもの又はそのエキス分を微粉末にして混練した添加粉態（ｂ）を、添加攪拌して一体の微粉緩和態（ｃ）とし、これを巻きタバコ（Ａ）のタバコ葉（Ｂ）に噴霧酢（ｄ）と共に散布融和させ、タバコに点火して吸引するとき、燃焼して出る燻煙の中のニコチン・タール分を分解緩和することを特徴としたものである。【００１０】  従って、基盤粉態（ａ）の夫々のエキス分と、添加粉態（ｂ）の夫々のエキス分が複合融和して相乗的に作用しあった微粉緩和態（ｃ）が、タバコ葉（Ｂ）に噴霧酢（ｄ）と共に散布融和させて点火して吸引喫煙した時、点火燻焼した時に出るタバコ葉の燻煙の中のニコチンとタール分を分解除去して、喫煙した時、燻煙の中のニコチン・タール分が喉に炎症を起こすまでに至らずに喉にやさしく、喉荒れが防止できると共に、燻煙には、程よいニコチンの味わいと刺激のみが薬味的に残って愛煙者が望むやすらぎといやしの気分は損なわないと云う優れた効用があるものである。【００１１】  基盤粉態（ｂ）の中の海草類は、すずきが良く、又、果物は、リンゴかミカンが良く、これらは基盤粉態（ａ）の中の他の混合する基材と共に、乾燥するのみならず、煮つめて液体エキス分として混態とするも良い。【００１２】  又、微粉緩和態（ｃ）は、タバコを製造する最初からの時点でタバコ葉の中に攪拌混和させ、これを巻きタバコとして市販に供し、市場に流通させ得ることも良いことは勿論である。
【図面の簡単な説明】
【００１３】
【図１】本発明の実施態様を示す斜視図である。
【符号の説明】
【００１４】  ａ  基盤粉態
ｂ  添加粉態
ｃ  微粉態緩和剤
ｄ  噴霧酢
Ａ  巻きタバコ
Ｂ  タバコ葉
【図１】
2007228954.tif 000003
(57)【要約】【課題】  従来の鳥獣被害防止策である、鳥獣用ネットは嵩が大きく、又鳥獣用電気柵は付属品も含め重く、山間部への搬入に手間がかかる。さらに、鳥獣用電気柵の場合、草がアースになる為、常に草刈り作業が必要になる問題があった。【解決手段】  従来の鳥獣用ネットは高さ２ｍのネットを張ることにより、鳥獣を通行止めにする方法の為、嵩が大きく施工の手間もかかります。又、電気柵については電気を通電させ、それに鳥獣が接触すると、電気ショックで鳥獣を進入させない方法である為、付属品も多く、又草がアースになる為、常に草刈り作業も必要になっていた。本発明品は紐の猛獣臭で鳥獣を忌避させる方法なので施工作業も簡単で、後の管理も必要なく、従来の鳥獣忌避剤に比べると施工時間も短く安価にて鳥獣を忌避させる事ができた。【選択図】なし【特許請求の範囲】
【請求項１】
紐に猛獣の糞尿液を浸透させる。
【請求項２】
多孔物質に猛獣の糞尿液を浸透させる。
【請求項３】
微細な気孔を有する高抱水性物質に猛獣の糞尿液を浸透させる。
【請求項４】
不織布と高抱水性物質の複合体に猛獣の糞尿液を浸透させる。
【発明の詳細な説明】
【技術分野】
【０００１】  本発明は、山間地区農家、林業家、果樹園等で、鳥獣被害防止に関する。
【背景技術】
【０００２】  従来の鳥獣被害防止策には、鳥獣用電気柵及び鳥獣用ネット、フェンスの取り付けを施したものがある。
【発明の開示】
【発明が解決しようとする課題】
【０００３】  従来の鳥獣被害防止策は、山間部への資材搬入及び材料費、施工費、維持管理費等の多額の費用が必要である。又、施工工事の期間が長期になる場合もある。さらに、鳥獣用電気柵の場合は、草がアースになる為、夏場は常に草刈り作業が必要である。【０００４】  本発明は、このような従来の問題を解決しようとするものであり、維持管理をすることなく、又材料費や施工費が極めて安価で、しかも山間部や果樹園等は支柱を建てる事なく、枝や幹を利用して取り付けが簡単で手間がはぶけることを目的とするものである。
【課題を解決するための手段】
【０００５】  本発明によれば、上記の目的は、猛獣臭を紐や不織布等に浸透させた鳥獣の忌避剤、及び該鳥獣忌避剤を用いることを特徴とする鳥獣忌避の方法を提供することによって達成される。
【発明の効果】
【０００６】  上述したように本発明の鳥獣忌避剤は、女性や子供でも取り付けが可能なほど手軽で、従来の鳥獣被害防止策よりも安価である。【０００７】  また、使用者が作業して協力性を生み、農作物、果樹園での収穫時には使用者全員が感慨深い思いが出来る効果を発揮するものである。
【発明を実施するための最良の形態】
【０００８】  本発明において用いられる猛獣臭を紐や不織布等に浸透させる方法。及び猛獣の糞尿を溶解し、多孔物質や高抱水性物質等に浸透させた物を併用することがより望ましい。【０００９】  この忌避剤は、山間部の田畑等で鳥獣から守ろうとする農作物の周りに支柱を３ｍ間隔で建て、それに本発明品である猛獣臭を浸透させた鳥獣忌避剤の紐等を、高さ１ｍ前後に張る。
また、多孔物質や高抱水性物質等に猛獣臭を浸透させた鳥獣忌避剤を併用し、より効果をあげることができる。
【実施例】
【００１０】
2007228955.tif 000002
【００１１】  図は、鳥獣忌避剤の使用時の全体図であり、鳥獣がよく出没する竹やぶで実験したものである。
猛獣臭を浸透した紐を１ｍ８０ｃｍ四方、地上高２０ｃｍと５０ｃｍの二段で囲う。
そして、縦に長さ５０ｃｍの猛獣臭を浸透した紐▲３▼１０本を等間隔に吊るし、その中にヌカ（３０ｋｇ）▲２▼とさつま芋（１ｋｇ）▲１▼を置き観察した。【００１２】  例年は鳥獣被害の多い場所に、高さ２ｍ、葉張り２ｍ、幹周０．２ｍの山椒の木に猛獣臭を浸透させた紐を枝や幹にたるみをつけて吊り下げ、鳥獣忌避の可否を調べた。
実験開始日から３日後、紐を吊り下げた付近に鳥獣が出没した形跡あり、しかしながら、山椒の木には被害なし。
実験開始日から１週間後、まったく鳥獣が現われた形跡なし。
実験開始日から３週間後も、鳥獣が出没した形跡なし。
紐を吊り下げた付近には、鹿の好物である蕗の薹が多く芽を出していた。
(57)【要約】【課題】      ペットボトルを逆様にしただけでは時間と共に水量が減少してしまう。【解決手段】  容器にＹ字管を設け、パイプ内の水位を一定に保つ構造とする。【選択図】図１
2007228976.tif 000002
【特許請求の範囲】
【請求項１】
水圧差を調整することで一定の水量を供給する定水位給水器。
【発明の詳細な説明】
【技術分野】
【０００１】本発明は、容器内の水を定量で落下させ，給水するものである。
【背景技術】
【０００２】従来のペットボトルの給水器では時間と共に落下する水量が減少する。
また容器の大小でも水量は変化する。
【発明の開示】
【発明が解決しようとする課題】
【０００３】水位差を一定にすることで落下水量を定量に保つことにある。【０００４】キャップ開放時水位から密閉時水位に至るまでの時間を短縮することにある。【０００５】減圧時の容器変形を防ぐことにある。【０００６】空気取入孔から容器への空気流入量（以下ボイリング量と呼ぶ）を減少させ水位差の変動を少なくすることにある。【０００７】水位差を調整することにある。
【課題を解決しようとする手段】
【０００８】容器にＹ字管を設置することで水位差は一定になる。
【０００９】減圧器で空気を抜くことで即座に密閉時水位になる。
【００１０】容器を横にすることで水面差が減少し減圧幅が小さくなる。又、容器の肉厚を増すことで容器の変形を最小限にくいとめる。
【００１１】糸を空気取入孔に入れると管内水面の表面張力が減少し流入空気粒を小さく出来る。
【００１２】空気取入孔の位置を複数にする。
【発明の効果】
【００１３】水圧差が一定になることで給水量は安定する。
【００１４】給水量を調整するための待ち時間がなくなる。
【００１５】容器の変形防止に効果が期待出来る。
【００１６】１回当りのボイリング量が少なくなり、水位差変動幅が小さくなる。
【００１７】水位差調整が簡単に出来る。
【発明を実施するための最良の形態】
【００１８】給水量を一定に保つ目的を実現した。
【産業上の利用可能性】
【００１９】容器を大きくすることで長期出張が可能となり、室内観葉植物等の給水に期待できる。
【図面の簡単な説明】
【００２０】
【図１】定水位給水器の実施方法を示した説明図である。
【図２】Ａ部拡大図
【図３】Ａ−Ａ断面図
【符号の説明】
【００２１】    １．Ａ部
２．減圧器
３．エアー抜き
４．容器を倒す
５．容器
６．水面
７．空気取入孔
８．ゴムキャップ
９．水面差
１０．水位差
１１．糸
１２．片落ち管
１３．綴じ紐
１４．水位観測パイプ
【図１】
2007228976.tif 000003
【図２】
2007228976.tif 000004
【図３】
2007228976.tif 000005
(57)【要約】      （修正有）【課題】デジタル画像と音声が録画できるＤＶＤレコーダを提供する。【解決手段】ＤＶＤレコーダの端子もテレビの端子もＩリンクとする事によって、ＤＶＤレコーダの性能から来る画質の映像をテレビにそのまま伝送できる。【選択図】なし【特許請求の範囲】
【発明の詳細な説明】
【技術分野】０００１
このＤＶＤレコ−ダ−は、デジタルをアナログに、変換する事なく、ＤＶＤレコ−ダ−でのＩＲＩＮＫを使用した物
【背景技術】０００２
従来のＤＶＤレコ−ダ−は、Ｄ２端子を使用していた！２００４年頃、発売された液晶ＴＶやプラズマＴＶなどは、Ｄ４端子でＳ１端子と音声端子−ＲとＬ−に、つないで、落ちた映像や音声で、我慢していた！！！このＤＶＤレコ−ダ−は、ＩＲＩＮＫ採用によりデジタルで、美しい映像や音声が、楽しめます！！！
【背景技術】０００３
このＤＶＤレコ−ダ−は、逆にＤＶＤの映画などを、ＨＤＤへ書き込みＨＤＤから、ＶＨＳへ録画も、出来る！！！
【非特許文敵１】
ソニ−電機９面  読売新聞２００６年  ソニ−電機株式会社
（発明が解決しょうとする課題）０００４
２００４年の液晶でも、プラズマでも、素晴らしい！！映像や音声がＩＲＩＮＫで、楽しめる！！！
【課題を解決するための手段】
０００５
ＩＲＩＮＫを使用する際に、当たって２００４年の液晶ＴＶやプラズマＴＶなども、高画質！高音質！で、楽しめる、ようになった！！それに、前と違って！！プラグノ差し込みも、楽になり、一本のコ−ドで録再生が、楽しめる！！！
【発明の効果】
０００６
ＩＲＩＮＫコ−ドを、使う事に、より！！だれでも、簡単に美しいデジタル画像と音声を、提供できる！！！
【発明を実施するための最良の形態】０００７
ＩＲＩＮＫコ−ド接続端子付きのＴＶへ、差し込む事が最良！
【実施例】０００８
現在は、Ｄ２端子でのＤＶＤレコ−ダ−が使われて、います！
【産業上の利用可能性】０００９
業者が、どのように使って、くれるかで決まります！！
【図面の簡単な説明】００１０
図面でも、お解りのように、接続端子がＩＲＩＮＫコ−ド一つに、なりました！！！
【符号の説明】
００１１
Ａは本体    ＢはＩＲＩＮＫコ−ド
〔書類名〕  ＤＶＤレコ−ダ−でのアイリンクコ−ドを利用した！デジタルでの録再生
〔書類名〕  業界初！！  ＩＲＩＮＫ使用のＤＶＤレコ−ダ−（テジタル録再生）
2007228541.tif 000002
【手続補正書】
【提出日】平成18年5月8日(2006.5.8)
【手続補正２】
【補正対象書類名】特許請求の範囲
【補正対象項目名】全文
【補正方法】変更
【補正の内容】
【特許請求の範囲】
【請求項１】
Ｄ２端子の、ない液晶ＴＶやプラズマＴＶ（２００４年頃）はＤ４端子なので、Ｓ１映像端子で音声信号−ＲとＬで、補って、います。そうなるとデジタル信号がアナログ信号に変換され画質や音質が落ちて、しまいます！！
Ｉ  ＲＩＮＫコードを、使用すればデジタル信号で録再生出来て素晴らしい、映像と音声が楽しめます！！
【請求項２】
Ｉ  ＲＩＮＫコードなら、ＨＤＤへの書き込みも、スムーズで美しい映像や音声をＤＶＤに、書き込めます！！
【請求項３】
逆にＤＶＤの映像などをＨＤＤへ書き込み、ＨＤＤからＶＨＳへ移す！！！事もＩ  ＲＩＮＫコードなら、簡単に出来ます！！！
(57)【要約】【課題】従来、発生するエネルギーより損失するエネルギーが大きい為、永久機関は不可能とされていた。また、外部から動力を加えず磁石からエネルギーを取り出すことも不可能とされていた。【解決手段】磁界が常に交差するように磁石を配置することにより、磁気エネルギーを運動エネルギーに変換し、そのエネルギーを利用した永久機関が可能となる。【選択図】図１
2007228778.tif 000002
【特許請求の範囲】
【請求項１】
交差させた磁界が発生する磁気エネルギーを利用した永久機関。
【発明の詳細な説明】
【技術分野】
【０００１】  この発明は、磁石を利用した永久機関に関する。
【背景技術】
【０００２】  従来、発生するエネルギーより損失するエネルギーが大きい為、永久機関は不可能とされていた。また、外部から動力を加えず磁石からエネルギーを取り出すことも不可能とされていた。
【発明の開示】
【発明が解決しようとする課題】
【０００３】  磁石からエネルギーを取り出し、そのエネルギーを利用した永久機関を提供することを課題とする。
【課題を解決するための手段】
【０００４】  以上の課題を解決するために、第一発明は、磁界を交差させることにより、磁気エネルギーを運動エネルギーに変換することを特徴とする永久機関である。
【発明の効果】
【０００５】  第一発明によれば、無公害、無限のエネルギーを安定して供給できる。
【発明を実施するための最良の形態】
【０００６】  この発明の一実施形態を、図１に示す。
一方の磁極を内面にした筒状（側面）および円形（上部、下部）の磁石Ｂの中に、板状の磁石ＡをシャフトＣに取り付けたものを、軸受けＤで支える。
磁石ＡはシャフトＣを水平にした場合、重力の影響を受けないように等間隔で複数取り付けるとよい。
シャフトＣと軸受けＤは磁石の影響を受けない材質がよい。【０００７】「実施形態の効果」
この実施形態によれば、磁石Ａと磁石Ｂが発生する磁界は常に交差する。交差した磁界の作用を図２に示す。【０００８】  磁石ｅの磁界Ｅおよび磁石ｆの磁界Ｆと磁石ｇの磁界Ｇの間に反発力Ｈ、吸引力Ｉが働き、磁石ｇに加わる力Ｊが発生する。その力によって磁石ｇが磁石ｅ、ｆに沿って移動するが、移動しても磁石ｅおよび磁石ｆと磁石ｇの関係は変化せず、磁石ｇに加わる力Ｊが常に発生する。【０００９】  磁石ｅおよび磁石ｆの両端を閉じることにより、磁石ｇに加わる力Ｊが永久に発生し磁石ｇも永久に移動する。
【図面の簡単な説明】
【００１０】
【図１】この発明の一実施形態を示す断面図である。
【図２】この発明の作用を示す図である。
【符号の説明】
【００１１】Ａ  磁石            Ｂ  磁石            Ｃ  シャフト
Ｄ  軸受け          Ｅ  磁石ｅの磁界    Ｆ  磁石ｆの磁界
Ｇ  磁石ｇの磁界    Ｈ  反発力          Ｉ  吸引力
Ｊ  磁石ｇに加わる力
ｅ  磁石            ｆ  磁石            ｇ  磁石
【図１】
2007228778.tif 000003
【図２】
2007228778.tif 000004
(57)【要約】【課題】本発明は、簡単な構造で、配線作業のしやすい住宅用分電盤の構造を提供することを目的としている。【解決手段】電気機器２は機器取り付け台１に固定し内機ユニット３を構成し、機器取り付け台１の背面には係止部６を形成し、住宅の壁面１０には配線用穴１１を開口し、配線用穴１１に機器取り付け台１の係止部６を掛け仮止めをした状態で配線作業を行った後、機器取り付け台１は基台８と共に壁面１０に固定して構成することを特徴とする。【選択図】図１
2007228648.tif 000002
【特許請求の範囲】
【請求項１】
主幹ブレーカや分岐ブレーカ等の電気機器を配置し、住宅の壁面に取り付けられる住宅用分電盤の構造であって、前記電気機器は機器取り付け台に固定し内機ユニットを構成し、前記機器取り付け台の背面には係止部を形成し、前記住宅の壁面には配線用穴を開口し、前記配線用穴に前記機器取り付け台の係止部を掛け仮止めをした状態で配線作業を行った後、機器取り付け台は基台と共に前記壁面に固定して構成することを特徴とする住宅用分電盤の構造。
【発明の詳細な説明】
【技術分野】
【０００１】
本発明は、主幹ブレーカや分岐ブレーカ等の電気機器を配置し、住宅の壁面に取り付けられる住宅用分電盤に関するものである。
【背景技術】
【０００２】
従来、住宅用分電盤３１は、主幹ブレーカ３２ａや分岐ブレーカ３２ｂ等の電気機器３２を底面３３ａの四辺に側面３３ｂを立ち上げた箱体形状の基台３３に載置構成されていた。基台３３を住宅の壁面３４に取り付け、基台３３の前面はカバーで施蓋していた。
【非特許文献１】２００５カワムラカタログ電設資材編  平成１７年５月１日発行
【発明の開示】
【発明が解決しようとする課題】
【０００３】
しかしながら上記従来の住宅用分電盤では、基台に側面が形成されているため、配線等の作業がしにくくなっていた。最近は、住宅用分電盤は省スペース化がすすんでおり、載置される電気機器も小型化しているため、ますます作業スペースが確保されにくく、作業が煩雑になっていた。
【課題を解決するための手段】
【０００４】
そこで本発明は、簡単な構造で、配線作業のしやすい住宅用分電盤の構造を提供することを目的とし、その構造は、電気機器は機器取り付け台に固定し内機ユニットを構成し、機器取り付け台の背面には係止部を形成し、住宅の壁面には配線用穴を開口し、配線用穴に機器取り付け台の係止部を掛け仮止めをした状態で配線作業を行った後、機器取り付け台は基台と共に壁面に固定して構成することを特徴とする。
【発明の効果】
【０００５】
本発明に係る住宅用分電盤の構造は、電気機器は機器取り付け台に固定し内機ユニットを構成し、機器取り付け台の背面には係止部を形成し、住宅の壁面には配線用穴を開口し、配線用穴に機器取り付け台の係止部を掛け仮止めをした状態で配線作業を行った後、機器取り付け台は基台と共に壁面に固定して構成するため、従来基台の設けられていた側面により区切られていた作業スペースが広く確保でき、基台に載置される電気機器が小型のものでも作業しやすくなり、配線作業時間の短縮及び、作業性の向上を図ることができる。
【発明を実施するための最良の形態】
【０００６】
本発明に係る住宅用分電盤の構造は、作業性の向上を図るという目的を、簡単な構造で壁面への取り付けのためのねじ締め作業も増やさずに実現した。
【実施例１】
【０００７】
本発明に係る住宅用分電盤の構造を図１の添付図面に基づいて説明する。
【０００８】
機器取り付け台１に主幹ブレーカ２ａや分岐ブレーカ２ｂ等の電気機器２を配置し、内機ユニット３を構成する。機器取り付け台１は機器取り付け部４と支持部５とが形成され、支持部５の先端は係止部６が形成される。また、支持部５にはねじ穴７が形成される。内機ユニット３の側面を囲む基台８は、底面部を形成せず、枠部８ａのみが形成され、枠部８ａには、機器取り付け台１の支持部５に設けられたねじ穴７に対向する位置にねじ穴９が設けられる。
【０００９】
住宅の壁面１０には、内機ユニット３に入出線するための配線用穴１１を開口する。機器取り付け台１の係止部６を配線用穴１１に掛け、内機ユニット３を住宅の壁面１０に仮止めする。この状態で電気機器２間や内機ユニット３から外部への出線する等の配線作業を行う。内機ユニット３が壁面１０に仮止めされた状態で作業できるため、従来基台で区切られていた配線用のスペースが広く確保できるため、配線作業がしやすく、作業性が向上すると共に、配線作業時間の短縮を図ることができる。最近では省スペース化が進み、電気機器も小型化しているが、その場合でも作業スペースが広く確保でき作業しやすい住宅用分電盤が提供できる。
【００１０】
配線作業が完了してから、基台８を内機ユニット３の前面から重ね、基台８と機器取り付け台１に設けたねじ穴７、９にそれぞれねじ１２を挿通し、締め付け、壁面１０に固定し、住宅用分電盤が壁面１０に取り付けられる。基台８の前面はカバーや扉体により被覆する。
【産業上の利用可能性】
【００１１】
住宅用分電盤は、機器取り付け台に電気機器を配置して内機ユニットを構成し、まずは内機ユニットを壁面に仮止めした状態で配線作業を行い、従来基台によって区切られていた作業スペースを広く確保でき、作業がしやすくなるので作業時間も短縮できる。
【図面の簡単な説明】
【００１２】
【図１】本発明に係る住宅用分電盤の実施例を示す説明図である。（実施例１）
【図２】従来の住宅用分電盤を示す説明図である。
【符号の説明】
【００１３】
１    機器取り付け台
２    電気機器
２ａ  主幹ブレーカ
２ｂ  分岐ブレーカ
３    内機ユニット
４    機器取り付け部
５    支持部
６    係止部
７    ねじ穴
８    基台
９    ねじ穴
１０  壁面
１１  配線用穴
１２  ねじ
【図１】
2007228648.tif 000003
【図２】
2007228648.tif 000004
(57)【要約】【課題】本発明は、簡単な構造で、配線作業のしやすい住宅用分電盤の構造を提供することを目的としている。【解決手段】本発明に係る住宅用分電盤の構造は、電気機器を側壁を持たない平面の基台に配列し、基台を側壁を有するカバー体で構成し、基台には側壁がないため基台上でない部分でも作業スペースが確保でき配線作業がしやすくなると共に、基台の前面にはカバーを取り付け可能としているため、塵埃等の異物の進入を防ぐことができ安全性も考慮していることを特徴とする。【選択図】図１
2007228647.tif 000002
【特許請求の範囲】
【請求項１】
主幹ブレーカや分岐ブレーカ等の電気機器を配置し、住宅の壁面に取り付けられる住宅用分電盤の構造であって、前記電気機器を側壁を持たない平面の基台に配列し、前記基台を側壁を有するカバー体で構成することを特徴とする住宅用分電盤の構造。
【発明の詳細な説明】
【技術分野】
【０００１】
本発明は、主幹ブレーカや分岐ブレーカ等の電気機器を配置し、住宅の壁面に取り付けられる住宅用分電盤の構造に関するものである。
【背景技術】
【０００２】
従来、住宅用分電盤３１は、主幹ブレーカ３２ａや分岐ブレーカ３２ａ等の電気機器３２を、底面３３ａの四辺に側面３３ｂを立ち上げた箱体形状の基台３３に載置構成されていた。基台３３を住宅の壁面３４に取り付け、基台３３の前面はカバーで施蓋していた。
【非特許文献１】２００５カワムラカタログ電設資材編  平成１７年５月１日発行
【発明の開示】
【発明が解決しようとする課題】
【０００３】
しかしながら上記従来の住宅用分電盤では、基台に側壁が形成されているため、配線等の作業がしにくくなっていた。最近は、住宅用分電盤は省スペース化がすすんでおり、載置される電気機器も小型化しているため、ますます作業スペースが確保されにくく、作業が煩雑になっていた。
【課題を解決するための手段】
【０００４】
そこで本発明は、簡単な構造で、配線作業のしやすい住宅用分電盤の構造を提供することを目的とし、その構造は、電気機器を側壁を持たない平面の基台に配列し、基台を側壁を有するカバー体で構成することを特徴とする。
【発明の効果】
【０００５】
本発明に係る住宅用分電盤の構造は、電気機器を側壁を持たない平面の基台に配列し、基台を側壁を有するカバー体で構成するため、従来基台の設けられていた側面により区切られていた作業スペースが広く確保でき、基台に載置される電気機器が小型のものでも作業しやすくなり、配線作業時間の短縮及び、作業性の向上を図ることができる。
【発明を実施するための最良の形態】
【０００６】
側面を持たない基台に電気機器を配置して住宅用分電盤を構成し、カバーで基台の前面と側面を施蓋することで、今まで基台の側面で仕切られていた電気機器を配線するためのスペースが広く取ることができる。
【実施例１】
【０００７】
本発明に係る住宅用分電盤の構造を図１〜図２にの添付図面に基づいて説明する。
【０００８】
住宅用分電盤１は基台２に主幹ブレーカ３ａや分岐ブレーカ３ｂ等の電気機器３を配列し、電気機器３間は導電バーや電線等で接続されて構成される。
【０００９】
基台２は側壁を持たない平面板で形成される。基台２を住宅の壁面に固定して住宅用分電盤１を取り付ける。基台２には配線用の開口４を施し、前面に機器取り付け板５等を取り付けて、電気機器３を基台２に載置する。
【００１０】
基台２前面はカバー体６で施蓋する。カバー体６は電気機器３を被覆できるように側壁を有する形状である。カバー体６は、住宅用分電盤１を住宅の壁面に設置した状態で、誤って充電部に触れてしまったり、塵埃等の侵入を防ぐものである。
【００１１】
基台２に側壁が形成されていないので、従来、側壁で仕切られていた作業スペースが、基台上でないところでも確保でき、作業性が向上し、作業時間の短縮を図ることができると共に、正確な作業ができる。
【産業上の利用可能性】
【００１２】
側壁のない基台に電気機器を載置し、前面をカバー体で施蓋することで分電盤内で作業スペースを確保しなくても、基台の外も作業スペースとして使えるため、電気機器が小型なものの場合や、住宅用分電盤を設置するスペースが多く取れない場合にも適用できる。
【図面の簡単な説明】
【００１３】
【図１】本発明に係る住宅用分電盤の構造を示す説明図である。（実施例１）
【図２】本発明に係る住宅用分電盤の構造を示す説明図である。（実施例１）
【図３】従来の住宅用分電盤の構造を示す説明図である。
【符号の説明】
【００１４】
１    住宅用分電盤
２    基台
３    電気機器
３ａ  主幹ブレーカ
３ｂ  分岐ブレーカ
４    開口
５    機器取り付け板
６    カバー体
【図１】
2007228647.tif 000003
【図２】
2007228647.tif 000004
【図３】
2007228647.tif 000005
(57)【要約】【課題】本発明は、簡単な構造で内機を箱体の前に先納が可能である電気機器機器収納用キャビネット１を提供することを目的とする。【解決手段】本発明に係る電気機器収納用キャビネット１は、電気機器を載置固定する機器取り付け板２と、機器取り付け板２を被覆する箱体本体とから構成され、箱体本体は左右側板３と、上下板４及び扉体とで形成され、電気機器を載置固定した機器取付板２を箱体本体に先立って収めることができ、効率よく電気機器収納用キャビネット１を設置できることを特徴とする。【選択図】図１
2007267518.tif 000002
【特許請求の範囲】
【請求項１】
各種電気機器を収納するための電気機器収納用キャビネットであって、前記電気機器を載置固定する機器取り付け板と、該機器取り付け板を被覆する箱体本体とから構成され、前記箱体本体は左右側板と、上下板及び扉体とで形成されることを特徴とする電気機器収納用キャビネット。
【発明の詳細な説明】
【技術分野】
【０００１】
本発明は、各種電気機器を収納するための電気機器収納用キャビネットに関するものである。
【背景技術】
【０００２】
従来、電気機器収納用キャビネットは、箱体本体と扉体とから構成され、箱体本体に内機と呼ばれる電気機器を載置した機器取り付け板を固定していた。
【非特許文献１】２００５カワムラ総合カタログ電設資材編  平成１７年５月１日発行
【発明の開示】
【発明が解決しようとする課題】
【０００３】
しかしながら、上記従来の電気機器収納用キャビネットでは、箱体本体がないと、電気機器収納用キャビネットが成立せず、電気機器の接続を先行して行えなかった。
【課題を解決するための手段】
【０００４】
そこで本発明は、簡単な構造で内機を箱体本体に先立って現場へ納めることが可能である機器収納用キャビネットを提供することを目的とし、その構造は、電気機器を載置固定する機器取り付け板と、機器取り付け板を被覆する箱体本体とから構成され、箱体本体は左右側板と、上下板及び扉体とで形成されることを特徴とする。
【発明の効果】
【０００５】
本発明に係る電気機器収納用キャビネットは、電気機器を載置固定する機器取り付け板と、機器取り付け板を被覆する箱体本体とから構成され、箱体本体は左右側板と、上下板及び扉体とで形成されるため、電気機器を載置した機器取り付け板を箱体本体に先行して納めることができ、電気の配線も先に行うことができ、電器機器収納用キャビネットの設置作業の効率がよい。
【発明を実施するための最良の形態】
【０００６】
効率よく電気機器収納用キャビネットを設置するという目的を、簡単な構造で且つ最小の部品点数で実現した。
【実施例１】
【０００７】
本発明に係る電気機器収納用キャビネットの第一実施例を図１の添付図面に基づいて説明する。
【０００８】
本発明に係る電気機器収納用キャビネット１は、機器取り付け板２と、この機器取り付け板２を被覆する箱体本体とで構成する。機器取り付け板２には、電気機器が載置固定される。箱体本体は左右側板３と上下板４と扉体（図示せず）で形成する。
【０００９】
機器取り付け板２には、壁面や取り付けアングル等に固定する機構を有し、ねじ等を用いて設置される。箱体本体の上下板４には必要に応じて開口５を設け、電線を挿通可能とする。機器取り付け板２には、フレーム６が設けられ、左右側板３はこのフレーム６に固定することで機器取り付け板２に取り付けられる。箱体本体の前面も開口されており、この開口７部分に扉体を取り付け、電気機器収納用キャビネット１の前面を施蓋する。
【００１０】
機器取り付け板２に電気機器を載置した状態で箱体本体に先立って現場へ納めることが可能である。機器取り付け板２を先に設置して電線等の接続を完了してから、箱体本体で機器取り付け板２を被覆し、塵埃等の進入を防止したり、誤って充電部に触れてしまうというような事故を防止する。
【実施例２】
【００１１】
機器取り付け板８を被覆する箱体本体９は、左右側板９ａと上下板９ｂ等を一体に形成することもできる。箱体本体９の前面に開口１０を設け、開口１０は扉体（図示せず）により施蓋される。機器を載置固定した機器取り付け板８に電気機器を載置した状態で箱体本体９に先立って現場へ納めることが可能である。機器取り付け板８を先に設置して電線等の接続を完了してから、箱体本体９で機器取り付け板８を被覆し、塵埃等の進入を防止したり、誤って充電部に触れてしまうというような事故を防止する。
【産業上の利用可能性】
【００１２】
電気機器収納用キャビネットは、機器取り付け板と箱体本体とが別部品で構成され、それぞれ別個に設置が可能であるため、すぐに取り付けなくてはならない場合に、機器を載置固定した機器取り付け板を箱体本体に先立って納めることができ、効率よく製作が可能である。
【図面の簡単な説明】
【００１３】
【図１】本発明に係る電気機器収納用キャビネットの実施例を示す説明図である。（実施例１）
【図２】本発明に係る電気機器収納用キャビネットの第二実施例を示す説明図である。（実施例２）
【符号の説明】
【００１４】
１      電気機器収納用キャビネット
２      機器取り付け板
３      左右側板
４      上下板
５      開口
７      開口
８      機器取り付け板
９      箱体本体
９ａ    左右側板
９ｂ    上下板
【図１】
2007267518.tif 000003
【図２】
2007267518.tif 000004